(57)【要約】      （修正有）【課題】注ぎ口から漏れた液体を受け止めることが可能な漏れ受け具を提供する。【解決手段】液体容器４の注ぎ口４ａの下方の周囲に、注ぎ口の下方の全周に渡って受け皿的に配置する板状の受け皿部１０と、受け皿部の外周辺縁に、全周に渡って起立する壁部１２とを備え、また、受け皿部の略中心に、液体容器の注ぎ口を形成する突起部を挿嵌させるための挿嵌穴１０ａが穿設されており、受け皿部の板状部分が、円形、楕円、扁平楕円又は多角形である。【選択図】図１
0003234341.tif 000002
【実用新案登録請求の範囲】
【請求項１】
液体容器の注ぎ口から垂れ落ちた液体を受け止めるための漏れ受け具において、
該液体容器の注ぎ口の下方の周囲に、該注ぎ口の下方の全周に渡って受け皿的に配置する板状の受け皿部と、
該受け皿部の外周辺縁に、全周に渡って起立する壁部とを備えることを特徴とする漏れ受け具。
【請求項２】
前記受け皿部の略中心に、前記液体容器の注ぎ口を形成する突起部を挿嵌させるための挿嵌穴が穿設されていることを特徴とする請求項１記載の漏れ受け具。
【請求項３】
前記受け皿部の板状部分が、円形、楕円、扁平楕円又は多角形であることを特徴とする請求項１又は請求項２記載の漏れ受け具。
【請求項４】
前記壁部の前記液体容器の注ぎ口側の内側に、略シート状の吸液性部材を配置してなることを特徴とする請求項１〜請求項３のいずれか一項に記載の漏れ受け具。
【考案の詳細な説明】
【技術分野】
【０００１】
本考案は、液体容器の注ぎ口から垂れ落ちた液体を受け止めるための漏れ受け具に関する。
【背景技術】
【０００２】
従来より、液体容器の注ぎ口から、内容物の液体が垂れ落ちないようにするための工夫がなされている。例えば、缶のボトルの注ぎ口自体の周囲を、肉厚にしたり、凹凸にしたりする工夫がなされている。また、垂れ落ちる場合だけではなく、内容物が意図しない方向に飛散することを防止する方法も提案されている（例えば、特許文献１）。
【先行技術文献】
【特許文献】
【０００３】
【特許文献１】特開２０１７−１４９４６７号公報
【考案の概要】
【考案が解決しようとする課題】
【０００４】
しかしながら、従来の工夫では、例えば、飲料のペットボトルの注ぎ口のキャップの封が、飲みかけの途中で適切にされていなかったりした場合などには、飲料が注ぎ口から垂れて飛散したりして、周囲を汚してしまう場合があった。
【０００５】
本考案は、このような事情に鑑みてなされたもので、注ぎ口から漏れた液体を受け止めることが可能な漏れ受け具を提供することにある。
【課題を解決するための手段】
【０００６】
請求項１記載の漏れ受け具は、液体容器の注ぎ口の下方の周囲に、注ぎ口の下方の全周に渡って受け皿的に配置する板状の受け皿部と、受け皿部の外周辺縁に、全周に渡って起立する壁部とを備えることを特徴とする。
【０００７】
請求項２記載の漏れ受け具は、受け皿部の略中心に、液体容器の注ぎ口を形成する突起部を挿嵌させるための挿嵌穴が穿設されていることを特徴とする。
【０００８】
請求項３記載の漏れ受け具は、受け皿部の板状部分が、円形、楕円、扁平楕円又は多角形であることを特徴とする。
【０００９】
請求項４記載の漏れ受け具は、壁部の液体容器の注ぎ口側の内側に、略シート状の吸液性部材を配置してなることを特徴とする。
【考案の効果】
【００１０】
本考案によれば、液体容器からの急な液体の漏れがあっても、注ぎ口から漏れた液体を受け止めることが可能である。
【図面の簡単な説明】
【００１１】
【図１】本考案に係る漏れ受け具の実施例を示す説明図である。
【図２】同漏れ受け具の使用方法の一例を示す説明図である。
【図３】同漏れ受け具の各種の態様を示す説明図である。
【図４】同漏れ受け具の他の使用例を示す説明図である。
【考案を実施するための形態】
【００１２】
本考案における漏れ受け具１，２は、液体容器４，８の注ぎ口から垂れ落ちた液体を受け止めるためのものである。尚、図１は、本考案に係る漏れ受け具の実施例を示す説明図である。図２は、同漏れ受け具の使用方法の一例を示す説明図である。図３は、同漏れ受け具の各種の態様を示す説明図である。図４は、同漏れ受け具の他の使用例を示す説明図である。
【００１３】
図１及び図２並びに図４で、２種類の漏れ受け具１，２を示しているが、まず、漏れ受け具１，２は、液体を納める液体容器４，８の注ぎ口４ａ，８ｂの下方の周囲に、注ぎ口４ａ，８ｂの下方の全周に渡って受け皿的に配置する板状の受け皿部１０，２０を有している。受け皿部１０，２０の外周形状は、液体容器４，８の注ぎ口４ａ，８ｂの形状やその位置によって任意に定めれば良いが、その外周形状は任意である。受け皿部１０，２０は、板状とはいえ、その厚さ自体も、任意である。また、受け皿部１０，２０の外周辺縁に、全周に渡って起立する壁部１２，２２を備えている。
【００１４】
受け皿部１０，２０が、液体容器４，８の注ぎ口４ａ，８ｂの下方の周囲に、注ぎ口４ａ，８ｂの下方の全周に渡って受け皿的に配置可能になっていれば、特に形状等の制限は受けないが、例えば、受け皿部１０，２０の略中心に、液体容器４，８の注ぎ口４ａ，８ｂを形成する突起部を挿嵌させるための挿嵌穴１０ａ，２０ａを穿設させることも可能である。漏れ受け具１，２は、挿嵌穴１０ａ，２０ａを穿設させた形状のものである。
【００１５】
液体容器４，８も、それ自体の内容物や形状によって限定されるものではなく、その内容物や形状によって、受け皿部１０，２０の形状や厚みを任意に変更すればよい。想定される液体容器４，８の形状又は用途としては、ビン（調味料等)、ペットボトル、マグカップ、缶ジュース、エンジンオイル、理科の実験道具、薬液ボトル、ペンキ、塗料、水筒、醤油さし、ハンドソープ、除草剤等が、考えられる。
【００１６】
図１及び図２示す液体容器４は、例えばコーヒーが入るボトル形状の容器であり、円筒形の本体部分の頂部に、上方に向かってくびれたうえで注ぎ口４ａがあり、他の例である図４の液体容器８は、例えばハンドソープが入るボトル形状の容器であり、筒形の本体部分の頂部に、側方に向かって注ぎ口８ｂを有する注ぎ口ヘッド８ａを備えている。液体容器４及び液体容器８に共通する課題としては、注ぎ口４ａ，８ｂから、その周辺に残った液体が、漏れ落ちて周囲に飛散する可能性があるということである。そして、その漏れ落ちた液体を、漏れ受け具１，２で受け止めるために、液体容器４，８の形状に適応する形状が、受け皿部１０，２０の形状に求められる。受け皿部１０，２０のより具体的な形状は、例えば、図３の（ａ）〜（ｆ）に示すように、受け皿部の板状部分が、円形、楕円、扁平楕円又は多角形であることを特徴とする。
【００１７】
また、壁部１２，２２は、受け皿部１０，２０に垂れ落ちた液体を受け止める役目を果たすような形状であればよく、図２に示すように、漏れ受け具１では、受け皿部１０と壁部１２とが一体で形成されているが、別体であってもよい。
【００１８】
受け皿部１０，２０及び壁部１２，２２の材質は、特に限定されないが、液体の種類や装着方法等を考慮して決めるのが好ましい。受け皿部１０，２０及び壁部１２，２２の材質は、具体的には、例えば、ＦＲＰ、樹脂（強化プラスチック、耐油性樹脂、アクリル等を含む）、ゴム（耐油性ゴム等を含む）、シリコン、金属（例えば、アルミ、ステンレス等）、ガラス、紙等である。尚、受け皿部１０，２０と壁部１２，２２とが、必ず同じ材質である必要はない。尚、温度による耐性や固さ（弾性やクッション性等）や表面の滑り具合等も考慮して、受け皿部１０，２０及び壁部１２，２２の材質を決めるのが好ましい。
【００１９】
漏れ受け具１，２の液体容器４，８への装着方法については、漏れ受け具１，２の受け皿部１０，２０が、液体容器４，８の注ぎ口４ａ，８ｂの下方の周囲に、注ぎ口４ａ，８ｂの下方の全周に渡って配置されるのであれば、限定されるものではない。しかしながら、装着性を考慮すると、例えば、受け皿部１０，２０の略中心に、液体容器４，８の注ぎ口４ａ，８ｂを形成する突起部を挿嵌させるための挿嵌穴１０ａ，２０ａが穿設されていることが好ましい。図１及び図２に示すとおり、液体容器４の注ぎ口４ａを挿嵌穴１０ａに挿嵌させるようにして、漏れ受け具１を液体容器４に嵌め込むようにすれば、容易に、漏れ受け具１に液体容器４を装着できる。
【００２０】
また、図１では記載がないが、図２に示すように、漏れ受け具１の壁部１２の液体容器４の注ぎ口４ａ側の内側に、略シート状の吸液性部材１４を配置することも可能である。吸液性部材１４を配置することで、受け皿部１０に垂れ落ちた液体を吸液し、さらに飛散することを防止することができる。
【００２１】
このような漏れ受け具１，２によれば、液体容器からの急な液体の漏れがあっても、注ぎ口から漏れた液体を受け止めることが可能である。また、液体の急な噴き出しにも対応可能である。
【００２２】
本考案は、本考案の広義の精神と範囲を逸脱することなく、様々な実施の形態及び変形が可能とされるものである。また、上述した実施の形態は、この考案を説明するためのものであり、本考案の範囲を限定するものではない。すなわち、本考案の範囲は、実施の形態ではなく、実用新案登録請求の範囲によって示される。そして、実用新案登録請求の範囲内及びそれと同等の考案の意義の範囲内で施される様々な変形が、この考案の範囲内とみなされる。
【産業上の利用可能性】
【００２３】
本考案により、注ぎ口から漏れた液体を受け止めることが可能な漏れ受け具を提供することができる。
【符号の説明】
【００２４】
１・・・・・漏れ受け具
２・・・・・漏れ受け具
４・・・・・液体容器
４ａ・・・・注ぎ口
８・・・・・液体容器
８ａ・・・・注ぎ口ヘッド
８ｂ・・・・注ぎ口
１０・・・・受け皿部
１０ａ・・・挿嵌穴
１２・・・・壁部
１４・・・・吸液性部材
２０・・・・受け皿部
２０ａ・・・挿嵌穴
２２・・・・壁部
【図１】
0003234341.tif 000003
【図２】
0003234341.tif 000004
【図３】
0003234341.tif 000005
【図４】
0003234341.tif 000006